(57)【要約】【課題】文字とマルチメディアデータとをインライン表示可能な形式で電子メールが簡単かつ適切に行えるようにする。【解決手段】電子メール機器１に文字以外データと入力された付加データとが互いに関連させられて記録部に記録された状態において、電子メール機器１に電子メールするべき文字データが入力されると、電子メール機器１が入力された電子メールするべき文字データに基づいて記録部から文字以外データと付加データとを特定してその特定された画像データと付加データとを対として送信するとともに付加データから別途設定されたマルチメディアデータの意味を示す文字情報も送信することよって、インライン表示可能な形式で送受信可能な受信側の電子メール機器２；３が文字データと画像データとをインライン表示することができ、インライン表示不可能な受信側の電子メール機器４が文字データを表示して文字化けや空白のような不都合を解消できる。【選択図】図１
2011059903.tif 000002
【特許請求の範囲】
【請求項１】
マルチメディアデータをインライン表示可能な形式で送信する電子メール機器において、マルチメディアデータのうちの文字以外データとこの文字以外データを特定する付加データとを入力するデータ入力部と、入力された文字以外データと入力された付加データとを互いに関連させて記録する記録部と、電子メールするべき文字データを入力するメール入力部と、入力された電子メールするべき文字データに基づいて記録部から文字以外データと付加データとからなる対構成を特定する特定部と、特定された対構成に基づくマルチメディアデータを送信する送信部とを備えたことを特徴とする電子メール機器。
【請求項２】
マルチメディアデータをインライン表示可能な形式で送信する電子メール機器において、マルチメディアデータのうちの文字以外データとこの文字以外データを特定する付加データとを入力するデータ入力部と、入力された文字以外データと入力された付加データとを互いに関連させて記録する記録部と、電子メールするべき文字以外データを入力するメール入力部と、入力された電子メールするべき文字以外データに基づいて記録部から文字以外データと付加データとからなる対構成を特定する特定部と、特定された対構成に基づくマルチメディアデータを送信する送信部とを備えたことを特徴とする電子メール機器。
【請求項３】
送信部で送信されるマルチメディアデータのメールデータ構成が当該メールデータ構成内に特定された対構成から対応機種向けのインライン表示可能な形式で設定したデータ部分と特定された対構成から非対応機種向けの意味を取得するデータ部とを備え、送信部が対応機種向けとして文字以外データのマルチメディアデータを設定するとともに非対応機種向けとして付加データから取得した文字データを設定することを特徴とする請求項１又は請求項２記載の電子メール機器。
【請求項４】
マルチメディアデータをインライン表示可能な形式で送信する電子メール機器において、マルチメディアデータのうちの文字以外データとこの文字以外データを特定する付加データとを入力するデータ入力部と、入力された文字以外データと入力された付加データとを互いに関連させて記録する記録部と、電子メールするべき文字データを入力するメール入力部と、入力された電子メールするべき文字データに基づいて記録部から文字以外データと付加データとからなる対構成を特定する特定部と、特定された対構成に基づくマルチメディアデータを送信する送信部とを備え、送信部で送信されるマルチメディアデータのメールデータ構成が当該メールデータ構成内に特定された対構成から対応機種向けのインライン表示可能な形式で設定したデータ部分と特定された対構成から非対応機種向けの意味を取得するデータ部とを備え、送信部が対応機種向けとして文字以外データのマルチメディアデータを設定するとともに非対応機種向けとして付加データから取得した文字データを設定することを特徴とする電子メール機器。
【請求項５】
マルチメディアデータをインライン表示可能な形式で送信する電子メール機器において、マルチメディアデータのうちの文字以外データとこの文字以外データを特定する付加データとを入力するデータ入力部と、入力された文字以外データと入力された付加データとを互いに関連させて記録する記録部と、電子メールするべき文字以外データを入力するメール入力部と、入力された電子メールするべき文字以外データに基づいて記録部から文字以外データと付加データとからなる対構成を特定する特定部と、特定された対構成に基づくマルチメディアデータを送信する送信部とを備え、送信部で送信されるマルチメディアデータのメールデータ構成が当該メールデータ構成内に特定された対構成から対応機種向けのインライン表示可能な形式で設定したデータ部分と特定された対構成から非対応機種向けの意味を取得するデータ部とを備え、送信部が対応機種向けとして文字以外データのマルチメディアデータを設定するとともに非対応機種向けとして付加データから取得した文字データを設定することを特徴とする電子メール機器。
【請求項６】
特定部が入力された電子メールするべき文字データに基づいて文字以外データを呼び出す際に付加データの読み仮名又は種類又は名称を応用することを特徴とする請求項１又は請求項４記載の電子メール機器。
【請求項７】
特定部が入力された電子メールするべき文字以外データに基づいて文字以外データを呼び出す際に付加データの読み仮名又は種類又は名称を応用することを特徴とする請求項２又は請求項５記載の電子メール機器。
【請求項８】
特定部が入力された電子メールするべき文字以外データに基づいて付加データの読み仮名又は種類又は名称を応用して呼び出される文字以外データを上記付加データの読み仮名又は種類又は名称で整理して一覧表示することを特徴とする請求項７記載の電子メール機器。
【請求項９】
マルチメディアデータをインライン表示可能な形式で送信する電子メール方法において、マルチメディアデータのうちの文字以外データとこの文字以外データを特定する付加データとが入力され、その入力された文字以外データと入力された付加データとが互いに関連させられて記録部に記録された状態において、電子メールするべき文字データが入力されると、その入力された電子メールするべき文字データに基づいて記録部から文字以外データと付加データとからなる対構成を特定し、その特定された対構成に基づくマルチメディアデータを送信することを特徴とする電子メール方法。
【請求項１０】
マルチメディアデータをインライン表示可能に送信する電子メール方法において、マルチメディアデータのうちの文字以外データとこの文字以外データを特定する付加データとが入力され、その入力された文字以外データと入力された付加データとが互いに関連させられて記録部に記録された状態において、少なくとも電子メールするべき文字以外データが入力されると、その入力された電子メールするべき文字以外データに基づいて記録部から文字以外データと付加データとからなる対構成を特定し、その特定された対構成に基づくマルチメディアデータを送信することを特徴とする電子メール方法。
【請求項１１】
マルチメディアデータをインライン表示可能な形式で送信する電子メール方法において、マルチメディアデータのうちの文字以外データとこの文字以外データを特定する付加データとが入力され、その入力された文字以外データと入力された付加データとが互いに関連させられて記録部に記録された状態において、電子メールするべき文字データが入力されると、その入力された電子メールするべき文字データに基づいて記録部から文字以外データと付加データとからなる対構成を特定し、その特定された対構成に基づくマルチメディアデータを送信するとともに付加データから別途設定されたマルチメディアデータの意味を示す文字情報も送信することを特徴とする電子メール方法。
【請求項１２】
マルチメディアデータをインライン表示可能な形式で送信する電子メール方法において、マルチメディアデータのうちの文字以外データとこの文字以外データを特定する付加データとが入力され、その入力された文字以外データと入力された付加データとが互いに関連させられて記録部に記録された状態において、少なくとも電子メールするべき文字以外データが記録部から選択されると、その選択された電子メールするべき文字以外データに基づいて記録部から文字以外データと付加データとからなる対構成を特定し、その特定された対構成に基づくマルチメディアデータを送信するとともに付加データから別途設定されたマルチメディアデータの意味を示す文字情報も送信することを特徴とする電子メール方法。
【請求項１３】
入力された電子メールするべき文字以外のデータに基づいて文字以外データを呼び出す際に付加データの読み仮名又は種類又は名称を応用することを特徴とする請求項１０又は請求項１２記載の電子メール方法。
【請求項１４】
入力された電子メールするべき文字以外データに基づいて付加データの読み仮名又は種類又は名称を応用して呼び出される文字以外データを上記付加データの読み仮名又は種類又は名称で整理して一覧表示することを特徴とする請求項１３記載の電子メール方法。
【発明の詳細な説明】
【技術分野】
【０００１】
本発明は、異なる機種間で文字とマルチメディアデータとをインライン表示可能な形式で電子メールが簡単かつ適切に行える電子メール機器及び電子メール方法に関する。
【背景技術】
【０００２】
この明細書では、マルチメディアデータをインライン表示可能な形式で送受信する電子メール機器として、ＨＴＭＬ対応の電子メール機器を例示するが、ＨＴＭＬ対応の電子メール機器に限定されるものではない。ＨＴＭＬ対応の電子メール機器は、ＨＴＭＬメールの送受信可能な電子メール機器である。ＨＴＭＬ（hypertext markup language）は、Ｗｅｂページを記述するのに用いられるマークアップ言語であって、画像や音声及びビデオの含まれた文書を扱うこともできる。マルチメディアデータをインライン表示可能な形式で送受信できない電子メール機器を、ＨＴＭＬ非対応の電子メール機器と称する。インライン表示とは、マークアップ言語で指定された位置にマルチメディアデータを表示する表示形態であって、文の前後、又は文中にもマルチメディアデータを表示することができる。
【０００３】
ＨＴＭＬメールの対応又は非対応機種を問わない、電子メールにおいて、本文等に絵文字を使用する方法がある。
【０００４】
携帯電話機での絵文字は、当初、文字や記号に割り当てられていない文字コードの未使用領域に、通信事業者や端末メーカーが個別に絵文字を割り当て、当該コードを送受信して運用していた。但し、絵文字は通信事業者や端末メーカー等が個別に割り当てていたため、互換性に乏しく、同じ絵文字の文字コードテーブルを持たない機種間では、受信側で送信側の意図と反する絵文字や文字が表示されたり、受信側で文字化けが発生したりしていた。
【０００５】
図１４を参照し、上記文字コードテーブルを使用した絵文字の送受信の課題について詳述する。図１４において、送信側のＡ機種なる電子メール機器４１と受信側のＡ機種なる電子メール機器４２とは文字コードの絵柄も色も一致する機種である。受信側のＢ機種なる電子メール機器４３は、送信側及び受信側のＡ機種なる電子メール機器４１；４２と文字コードの絵柄は一致しているが、色が異なる機種である。受信側のＣ機種なる電子メール機器４４は、送信側及び受信側のＡ機種なる電子メール機器４１；４２や受信側のＢ機種なる電子メール機器４３のそれぞれと文字コードの絵柄すらも一致していない機種である。そして、例えば、「貴方の事、ずっと（ハートマークなる絵文字）でした」なる電子メールが送信側のＡ機種なる電子メール機器４１から、受信側のＡ機種なる電子メール機器４２又は受信側のＢ機種なる電子メール機器４３又は受信側のＣ機種なる電子メール機器４４に送信された場合、受信側の電子メール機器４２乃至４４の機種により絵文字の形と色とが送信側の絵文字と同じである場合と異なる場合とがある。
【０００６】
具体的には、受信側のＡ機種なる電子メール機器４２での絵文字の表示態様が送信側の絵文字と同じ色及び同じ形であるに対し、受信側のＢ機種なる電子メール機器４３での絵文字の表示態様が送信側の絵文字と同じ形であるものの色が異なり、また、受信側のＣ機種なる電子メール機器４４での送信側の絵文字と対応する部分が「壽」なる文字として表示される場合がある。つまり、絵文字区分コードが通信事業者又は同じ通信事業者での機種の違いによって独自に設定されているため、ユーザーの意図する絵文字が受信側の電子メール機器に表示されないという欠点がある。
【０００７】
そこで、これらの問題を解決する一つの手段として、ＨＴＭＬメールを使用する方法がある。ＨＴＭＬメールは、電子メールの本文にＨＴＭＬを使用し、絵文字として機能する画像データを本文内の所定の位置にインライン表示させることが可能となる。さらに、対象の画像データを電子メール内に添付することが可能であるため、受信側がＨＴＭＬメールに対応していれば、送信側が設定した画像データを、受信側が添付ファイルから取得し、相違なく表示することが可能となる。
【０００８】
ＨＴＭＬメールを使用することで、前記の文字コードテーブルを使用した絵文字の問題を解決したように思われるが、次のような２つの課題がある。その１つは、画像データを捜索し、インライン表示用に指定する操作において、携帯電話機のようなユーザインタフェイスや画面サイズが制限されている場合、煩雑で取り扱い難い。もう1つは、非対応の端末が受信した場合、単純なテキスト表示となって、インライン表示を指定したはずの位置は空になり、絵文字データが欠損した状態となる。従って、受信側では送信側の意図した文章を理解できなくなることがある。
【先行技術文献】
【特許文献】
【０００９】
【特許文献１】特開２００６−１３９３４０号公報
【発明の概要】
【発明が解決しようとする課題】
【００１０】
発明が解決しようとする問題点は、電子メールを作成する時の入力操作が煩雑であるという点と、ユーザーの意図する絵文字が受信側の電子メール機器に表示されないという点とである。
【課題を解決するための手段】
【００１１】
本発明に係る電子メール機器は、マルチメディアデータをインライン表示可能な形式で送受信する電子メール機器において、マルチメディアデータのうちの文字以外データとこの文字以外データを特定する付加データとが互いに関連させられて記録部に記録された状態において、電子メールするべき文字データが入力されると、その入力された電子メールするべき文字データに基づいて記録部から文字以外データと付加データとからなる対構成を特定し、その特定された対構成に基づくマルチメディアデータを送信するか、又は、その特定された対構成に基づくマルチメディアデータの送信とともに付加データから別途設定されたマルチメディアデータの意味を示す文字情報も送信することを特徴とする。本発明に係る電子メール方法は、上記電子メール機器によって電子メールするべき文字データが入力されると、その入力された電子メールするべき文字データに基づいて記録部から文字以外データと付加データとからなる対構成を特定し、その特定された対構成に基づくマルチメディアデータを送信する又は、その特定された対構成に基づくマルチメディアデータの送信とともに付加データから別途設定されたマルチメディアデータの意味を示す文字情報も送信することを特徴とする。
【発明の効果】
【００１２】
本発明に係る電子メール機器及び電子メール方法は、電子メールするべき文字データに基づいて文字以外データとこの文字以外データを特定する付加データとからなる対構成を特定することによって、マルチメディアデータが簡単な操作で作成できるうえ、上記特定された対構成に基づくマルチメディアデータを送信するとともに付加データから別途設定されたマルチメディアデータの意味を示す文字情報も送信することによって、マルチメディアデータをインライン表示可能な形式で送受信可能な機種間では、送信側の電子メール機器のマルチメディアデータのインライン表示態様と同じ態様で、受信側の電子メール機器が文字データと画像データとをインライン表示することができ、マルチメディアデータをインライン表示可能な形式で送受信可能な機種とインライン表示不可能な機種との間では、送信側の電子メール機器のマルチメディアデータのインライン表示態様を表現する文字データと同じ態様で、受信側の電子メール機器が文字データを表示して、文字化けや空白のような不都合を解消することができる。結果として、本発明に係る電子メール機器によれば、異なる機種間で文字とマルチメディアデータとをインライン表示可能な電子メールが簡単かつ適切に行えるという効果がある。
【図面の簡単な説明】
【００１３】
【図１】実施の形態１の電子メールシステムを示す模式図。
【図２】実施の形態１の電子メール機器を示す構成図。
【図３】実施の形態１の画像データベースの作成処理を示す工程図。
【図４】実施の形態１の画像データベースを示す図表。
【図５】実施の形態１の電子メールの作成処理を示す工程図。
【図６】実施の形態１の電子メールの作成処理を示す工程図。
【図７】実施の形態１の電子メールの作成処理を示す工程図。
【図８】実施の形態１の電子メールのプログラムの特徴部分を示す図表。
【図９】実施の形態１の電子メールによるメール処理の特徴を示す模式図。
【図１０】実施の形態２の画像データベースを示す図表。
【図１１】実施の形態２の電子メールの作成処理を示す工程図。
【図１２】実施の形態２の電子メールの作成処理を示す工程図。
【図１３】実施の形態３の電子メールの受信処理を示す工程図。
【図１４】従来のＨＴＭＬメールの問題点を示す模式図。
【発明を実施するための形態】
【００１４】
「実施の形態１」
以下、送信側のＡ機種なるＨＴＭＬ対応の電子メール機器を送信側のＡ機種なる電子メール機器１と称し、受信側のＡ機種なるＨＴＭＬ対応の電子メール機器を受信側のＡ機種なる電子メール機器２と称し、受信側のＢ機種なるＨＴＭＬ対応の電子メール機器を受信側のＢ機種なる電子メール機器３と称し、受信側のＣ機種なるＨＴＭＬ非対応の電子メール機器を受信側のＣ機種なる電子メール機器４と称する。また、マルチメディアデータは、文字、画像、音声、アーカイブデータのような多様なデータから構成される。画像には動画と静止画とがあり、音声には音と声がある。文字以外データは、画像、音声のようなデータであるが、以下の説明では画像データを文字以外データとして説明する。
【００１５】
図１を参照し、ＨＴＭＬメールの送受信について説明する。先ず、送信側のＡ機種なる電子メール機器１では、ＨＴＭＬメールを送信するよりも前の時期において、ステップ１０１に示すように、電子メール機器１には、ＨＴＭＬメールに必要な画像データと付加データとを関連させて記録した画像データベースが作成される。画像データベースの作成に必要な画像データと付加データとが、ユーザーによって作成される場合と、ユーザー以外の例えばコンテンツプロバイダのような者によって作成される場合とがある。画像データ及び付加データがユーザー以外の者によって作成される場合は、ユーザー以外の者が画像データと付加データとを対にして提供する。付加データは、画像データを特定するデータであって、図３で詳述する。
【００１６】
次に、ステップ１０２において、画像データベースの作成された電子メール機器１において、電子メールが作成される。電子メールが作成される工程には、次のような２つの処理がある。その１つは、読み仮名の入力による画像データベースの検索、該当あれば漢字候補と画像候補の表示、漢字候補又は画像候補の選択による画像のインライン表示からなる処理であって、図６で詳述する。もう１つは、読み仮名の入力による漢字候補の表示、漢字候補の選択、画像データベースの検索、該当あれば画像候補の表示、画像候補の選択による画像のインライン表示からなる処理であって、図７で詳述する。図４の画像データベース２７の漢字欄に「漢字」又は「カタカナ」が存在することから、以下の説明において、漢字候補は、入力された読み仮名から漢字又はカタカナを変換対象とすることの総称として用いられている。
【００１７】
その後、ステップ１０３において、ユーザーが電子メールを送信する操作をキー操作によって電子メール機器１に入力すると、電子メール機器１はインライン表示された画像に相当する画像データとその画像データを特定する付加データとを対とした電子メールなるＨＴＭＬメールを、受信側のＡ機種なる電子メール機器２又は受信側のＢ機種なる電子メール機器３又は受信側のＣ機種なる電子メール機器４の少なくとも１つに送信する。
【００１８】
電子メール機器1がＨＴＭＬメールを送信する際、付加データは画像データ内に梱包されているので、画像データと付加データとが対となって送信されるが、ＨＴＭＬメール非対応機種向けに設定するテキストのメール部分においては、ＨＴＭＬ部でインライン表示を指定する位置に、当該マルチメディアデータの意味を示す文字情報を別途設定する必要がある。この別途設定される情報は、付加データそのものではなく、付加データから取得した情報の一部例えば漢字のような情報である。
【００１９】
図２を参照し、電子メール機器１の構成について説明する。電子メール機器１は、入出力インターフェース１１、辞書情報入力部１２、合成部１３、画像入力部１４、表示器１５、キー操作部１６、データ入力部１７、メール作成部１８、ＣＰＵ１９、ＲＡＭ２０、ＲＯＭ２１を備える。辞書情報入力部１２は、基本辞書２２及び個人辞書２３を備える。
【００２０】
基本辞書２２は、電子メール機器１の製造段階で作られる辞書であって、文字区分コードと絵文字区分コードとが記録された部分であって、電子メール機器１を使用するユーザー（以下、単に、ユーザーという）が書き換えることはできないようになっている。
【００２１】
個人辞書２３は、付加データが記録される部分であって、ユーザーが自由に書き換えることができるようになっている。
【００２２】
合成部１３は、個人辞書２３の付加データと画像入力部１４の画像データとを合成し、この合成された合成データをＲＡＭ２０の画像データベース２７に記録させる部分である。
【００２３】
画像入力部１４は、画像データ供給機器３１から電子メール機器１に取り込まれた画像データを記録する部分である。
【００２４】
ユーザー以外の例えばコンテンツプロバイダのような者から画像データと付加データとが対にして提供される場合、画像入力部１４が画像データ供給機器３１としてのコンテンツプロバイダのような者から電子メール機器１に取り込まれた付加データを個人辞書２３にあるか否かを検索する。そして、付加データが個人辞書２３にある場合は、画像入力部１４が上記取り込まれた画像データと付加データとを破棄する。付加データが個人辞書２３に無い場合は、画像入力部１４が上記取り込まれた付加データを個人辞書２３に記録しかつ上記取り込まれた画像データを記録する。その後、合成部１３が個人辞書２３の付加データと画像入力部１４の画像データとを合成し、この合成された合成データをＲＡＭ２０の画像データベース２７に記録させる。
【００２５】
表示器１５は、電子メール機器１の種々の入力や処理の態様をユーザーに報知する報知データを表示する部分であって、ディスプレイにより構成される。
【００２６】
キー操作部１６は、ユーザーが置数キー、文字キー、ファンクションキー、特定キーのような種々のキーを操作することによって電子メール機器１に種々の入力を操作する部分であって、キーボードにより構成される。
【００２７】
メール作成部１８は、メール入力部２４、特定部２５、送信部２６を備え、メール入力部２４がユーザーからの電子メールすべき指示を電子メール機器１に取り込み、特定部２５がメール入力部２４を経由するユーザーからの指示で画像データベース２７に記録された合成データをメール送信すべき画像データと付加データとの対構成を特定し、送信部２６がメール入力部２４及び特定部２５を経由するユーザーからの指示で作成された対構成を含む電子メールを送信する。
【００２８】
ＣＰＵ１９がフラッシュメモリのようなＲＯＭ２１に格納されたプログラムにしたがいＲＡＭ２０を使用しながら通信ルールであるプロトコルに則って動作して電子メール制御を実行する。この電子メール制御によって、メール作成部１８、辞書情報入力部１２、合成部１３、画像入力部１４、表示器１５、データ入力部１７、メール作成部１８、画像データベース２７などが動作される。
【００２９】
電子メール機器１において、画像データベース２７が作成される工程は、ユーザーが画像データと付加データとを作成して電子メール機器１に個別に入力する場合と、ユーザー以外の例えばコンテンツプロバイダのような者から画像データと付加データとが対にして提供される場合とがある。
【００３０】
ユーザーが画像データと付加データとを作成して電子メール機器１に個別に入力する場合の画像データベース２７が作成される工程について説明すると、電子メール機器１が電気的に起動し、画像データ供給機器３１が電子メール機器１に接続された状態において、ユーザーがキー操作部１６によって画像データの電子メール機器１への入力を操作すると、操作信号がデータ入力部１７からＣＰＵ１９に入力され、ＣＰＵ１９が画像データ供給機器３１から入出力インターフェース１１を経由して入力された画像データを画像入力部１４に記録する。
【００３１】
次に、ユーザーがキー操作部１６によって付加データの電子メール機器１への入力を操作すると、付加データがデータ入力部１７からＣＰＵ１９に入力され、ＣＰＵ１９がデータ入力部１７から入力された付加データを個人辞書２３に記録する。その後、ユーザーがキー操作部１６によって画像データと付加データとの合成を操作すると、指示信号がデータ入力部１７からＣＰＵ１９に入力され、ＣＰＵ１９が合成部１３を始動し、合成部１３が個人辞書２３から付加データを抽出すると共に画像入力部１４から画像データを抽出して当該付加データと当該画像データとを関連させて画像データベース２７に記録する。
【００３２】
ユーザー以外の例えばコンテンツプロバイダのような者から画像データと付加データとが対にして提供される場合の画像データベース２７が作成される工程について説明すると、電子メール機器１が電気的に起動してユーザー以外の例えばコンテンツプロバイダのような者から対にして提供され画像データと付加データとを受信した場合において、合成処理の実施を指示する契機が必要になる。その契機は、ユーザーがキー操作部から手動で指示する場合と、定期的に所定のデータフォルダを巡廻するパーサーが電子メール機器１に設けられ、そのパーサーが個人辞書に未登録の付加データ付き画像データを検出した場合に自動で個人辞書へ登録する場合との二通りがある。
【００３３】
図３を参照し、画像データベース２７がユーザーで作成された画像データとユーザーで作成された付加データとから作成される工程について詳述する。ステップ２０１において、ユーザーが電子メール機器１に対する画像データの入力の操作を行うと、例えば、「公園の遊具を表現した」画像データが画像データ供給機器３１からステップ２０２の電子メール機器１に入力され、ステップ２０２の電子メール機器１が入力された画像データを画像入力部１４に記録する。
【００３４】
引き続き、ステップ２０３において、ユーザーが電子メール機器１に対する上記記録された画像データを特定する付加データの入力の操作を行うと、ステップ２０４の電子メール機器１が入力された付加データを個人辞書２３に記録する。例えば、付加データは、種類、名称、動作指示、撮影日、画像の大きさ、Ｃｏｎｔｅｎｔ−Ｔｙｐｅ、ＵＲＬのそれぞれを示すデータから構成される。種類を示すデータとしては、例えば「公園」なる漢字表記と「こうえん」なる読み方表記とが併記される。名称を示すデータとしては、例えば「遊具」なる漢字表記と「ゆうぐ」なる読み方表記とが併記される。
【００３５】
その状態において、ステップ２０５において、ユーザーが電子メール機器１に対する上記記録された画像データと上記記録された付加データとの合成を操作すると、ステップ２０６の電子メール機器１がステップ２０２で記録された画像データとステップ２０４で記録された付加データとを関連させて画像データベース２７に記録する。
【００３６】
図４を参照し、画像データベース２７について説明する。画像データベース２７では、読み仮名欄、漢字欄、画像データと付加データとの対構成欄が設けられる。読み仮名欄には、入力された付加データ中の「読み仮名」が項目分けされて記録される。漢字欄には、入力された付加データ中の「漢字」又は「カタカナ」が、読み仮名欄の「読み仮名」ごとに項目分けされて記録される。対構成欄には、入力された画像データと入力された付加データとが対となって漢字欄の「漢字」又は「カタカナ」ごとに項目分けされて記録される。
【００３７】
図５を参照し、電子メール機器１による電子メールの工程について説明する。図５において、電子メール機器１には、すでに、図４に示すような態様の画像データベース２７が記録されている。図５の電子メールの工程は、図１のメール作成部１８によって実行される。ステップ３０１では、電子メール機器１が電源投入で起動し、表示器１５が待ち受け画面を表示した状態である。
【００３８】
その状態において、ユーザーがキー操作部１６を新規メール作成操作すると、ステップ３０２に示すように、表示器１５から待ち受け画面が消去された後、表示器１５には宛先欄、差出人欄、件名欄、本文欄が表示される。ステップ３０３に進む。
【００３９】
その後、ユーザーがキー操作部１６を操作して宛先欄、差出人欄、件名欄のそれぞれに必要な情報を入力すると、ステップ３０３に示すように、表示器１５には本文欄及びカーソル２８が表示される。その状態を確認したユーザーがキー操作部１６を本文入力操作するのに伴って、ステップ３０４に示すように、表示器１５には本文入力画面が表示される。そして、本文入力が終了した後、ユーザーがキー操作部１６を送信操作すると、ステップ３０５に示すように、電子メールが送信される。ステップ３０４；３０５に示す電子メールの作成から送信までについては、図６及び図７に示す２通りの処理に分けて説明する。
【００４０】
図６を参照し、電子メールの作成から送信までの本文入力操作と本文入力画面との変遷について、読み仮名の入力による画像データベースの検索、該当あれば漢字候補と画像候補の表示、漢字候補又は画像候補の選択による画像のインライン表示からなる処理を例として詳述する。先ず、本文入力操作において、ユーザーが「今日は」の入力及び確定を操作した後に「こうえん」なる読み仮名を入力操作した場合、表示器１５には本文入力画面がステップ４０１に示すように表示される。この本文入力画面は「今日はこうえん」とカーソル２８とが表示された態様になる。
【００４１】
その後、ユーザーが「こうえん」を漢字変換しようと思ってキー操作部１６を漢字変換操作した場合、ステップ４０２に示すように、漢字候補の「公園」や「公演」と一緒に、画像データベース２７の読み仮名欄の「こうえん」で登録されている画像データとしての「滑り台を表現した画像」と「シーソーを表現した画像」とが表示される。
【００４２】
そして、ユーザーがキー操作部１６を変換候補選択操作して例えば「滑り台を表現した画像」を選択した場合、ステップ４０３に示すように、表示器１５には「滑り台を表現した画像」を太枠で囲んだ態様が変換候補選択画面として表示される。
【００４３】
その状態において、ユーザーがキー操作部１６をインライン表示操作すると、「滑り台を表現した画像」を検索子として図４の画像データベース２７の対構成欄から「滑り台を表現した画像」の対応する画像データが抽出されて表示器１５にインライン表示画面が表示される。その結果、ステップ４０４に示すよう、表示器１５には入力の確定された「今日は」と上記抽出によって確定した「滑り台を表現した画像」とカーソル２８とがインライン表示される。ステップ４０４に示す表示器１５の下部には「送信」と［決定］との文字が表示される。
【００４４】
次に、ユーザーがキー操作部１６を送信文決定操作すると、ステップ４０５に示すように、表示器１５からカーソル２８が消え、表示器１５には「決定」を太枠で囲んだ態様が表示される。
【００４５】
さらに、ユーザーがキー操作部１６を送信操作すると、ステップ４０６に示すように、表示器１５から「決定」を囲む太枠が消え、表示器１５には「送信」を太枠で囲んだ態様が表示され、ＨＴＭＬメールが送信される。このメール送信中は、ステップ４０７に示すように、表示器１５には「メール送信中」及び「キャンセル」からなる送信画面が表示される。
【００４６】
このＨＴＭＬメールでは、ステップ４０６の表示器１５に表示された「今日は」と「滑り台を表現した画像」を表現する画像データと付加データとからなるインライン表示可能な形式でマルチメディアデータが送信される。
【００４７】
例えば、図４の画像データベース２７において、読み仮名欄の「読み仮名」ごとに項目分けされて記録された対構成欄の画像データなる静止画Eが図６のステップ４０６の「滑り台を表現した画像」であるとすると、画像データベース２７の読み仮名欄の「読み仮名」ごとに項目分けされて記録された対構成欄から静止画Eと静止画Eの付加データとが特定され、その特定された静止画Eと静止画Eの付加データとが対構成となって送信されるとともに、付加データから別途設定されたマルチメディアデータの意味を示す例えば漢字のような文字情報も送信される。
【００４８】
図７を参照し、電子メールの作成から送信までの本文入力操作と本文入力画面との変遷について、読み仮名の入力による漢字候補の表示、漢字候補の選択、画像データベースの検索、該当あれば画像候補の表示、画像候補の選択による画像のインライン表示からなる処理を例として詳述する。先ず、本文入力操作において、ユーザーが「今日は」の入力及び確定を操作した後に「こうえん」なる読み仮名を入力操作した場合、表示器１５には本文入力画面がステップ５０１に示すように表示される。この本文入力画面は「今日はこうえん」とカーソル２８とが表示された態様になる。
【００４９】
その後、ユーザーが「こうえん」を漢字変換しようと思ってキー操作部１６を漢字変換操作した場合、メール作成部１８が「こうえん」を検索子として図４の画像データベース２７の読み仮名欄を検索する。
【００５０】
その検索において、画像データベース２７の読み仮名欄に検索子に対応する「こうえん」が存在しない場合は、基本辞書から抽出した該当する漢字候補を表示器１５に表示する。画像データベース２７の読み仮名欄に検索子に対応する「こうえん」が存在する場合は、ステップ５０２に示すように、表示器１５には「公園」、「公演」なる漢字候補表示が表示される。
【００５１】
さらに、ユーザーがキー操作部１６を漢字候補選択操作して「公園」を選択した場合、ステップ５０３に示すように、表示器１５には「公園」を太枠で囲んだ態様が表示される。
【００５２】
そして、ユーザーがキー操作部１６を画像候補表示操作すると、「公園」を検索子として図４の画像データベース２７の漢字欄を検索する。
【００５３】
その検索において、画像データベース２７の漢字欄に検索子に対応する「公園」が存在しない場合は、基本辞書から抽出した該当する漢字候補を表示器１５に表示する。画像データベース２７の漢字欄に検索子に対応する「公園」が存在する場合は、「公園」に対応する図４の画像データベース２７の対構成欄の画像データが抽出される。その結果、ステップ５０４に示すように、表示器１５には上記抽出された画像データによる画像候補が表示される。
【００５４】
その後、ユーザーがキー操作部１６を画像候補選択操作して例えば「滑り台を表現した画像」を選択した場合、ステップ５０５に示すように、表示器１５には「滑り台を表現した画像」を太枠で囲んだ態様が画像選択画面として表示される。
【００５５】
その状態において、ユーザーがキー操作部１６をインライン表示操作すると、「滑り台を表現した画像」を検索子として図４の画像データベース２７の対構成欄から「滑り台を表現した画像」の対応する画像データが抽出されて表示器１５にインライン表示画面が表示される。その結果、ステップ５０６に示すよう、表示器１５には入力の確定された「今日は」と上記抽出によって確定した「滑り台を表現した画像」とカーソル２８とがインライン表示される。ステップ５０６に示す表示器１５の下部には「送信」と［決定］との文字が表示される。
【００５６】
次に、ユーザーがキー操作部１６を送信文決定操作すると、ステップ５０７に示すように、表示器１５からカーソル２８が消え、表示器１５には「決定」を太枠で囲んだ態様が表示される。
【００５７】
その状態において、ユーザーがキー操作部１６を送信操作すると、ステップ５０８に示すように、表示器１５から「決定」を囲む太枠が消え、表示器１５には「送信」を太枠で囲んだ態様が表示され、ＨＴＭＬメールが送信される。このメール送信中は、ステップ５０９に示すように、表示器１５には「メール送信中」及び「キャンセル」からなる送信画面が表示される。
【００５８】
このＨＴＭＬメールでは、ステップ５０８の表示器１５に表示された「今日は」と「滑り台を表現した画像」を表現する画像データと付加データとからなるインライン表示可能な形式でマルチメディアデータが送信される。
【００５９】
例えば、図４の画像データベース２７において、読み仮名欄の「読み仮名」ごとに項目分けされて記録された対構成欄の画像データなる静止画Eが図７のステップ５０６の「滑り台を表現した画像」であるとすると、画像データベース２７の読み仮名欄の「読み仮名」ごとに項目分けされて記録された対構成欄から静止画Eと静止画Eの付加データとが特定され、その特定された静止画Eと静止画Eの付加データとが対構成となって送信されるとともに、付加データから別途設定されたマルチメディアデータの意味を示す例えば漢字のような文字情報も送信される。
【００６０】
図６に示すような読み仮名の入力に基づく画像候補の選択、又は図７に示すような読み仮名の入力から変換した漢字やカタカナの選択に基づく画像候補の選択のいずれかにより、文字と画像とからなるマルチメディアデータが作成されるので、文字と画像とからなるマルチメディアデータが簡単な操作で作成できる。
【００６１】
図８を参照し、ＨＴＭＬメール送信されるインライン表示可能な形式のマルチメディアデータのメールデータ構成３３について説明する。メールデータ構成３３は、対構成３２をメール送信する場合のデータ構成である。図８では、対構成３２における画像データとして「滑り台を表現した画像」を示し、対構成中の付加データとして「種類：公園［こうえん］」、「名称：遊具［ゆうぐ］」、「動作指示：自動再生」、「撮影日：２００９年４月１日」、「画像の大きさ：１２×１２」、「Content-Type: image/jpeg」、「URL: http://www.park.***.com/」を示す。［こうえん］や［ゆうぐ］のように、読み仮名を［  ］で囲むことによって、付加データをチェックするパーサーがカタカナを検出しやすくなる。メールデータ構成３３において、符号３４を付した部分が受信側インライン表示不可を考慮し、対構成から意味を取得するデータ部分である。また、符号３５を付した部分が対構成３２の動作指示に従い、受信側でインライン表示可能な形式で設定したデータ部分である。メールデータ構成３３の下部における四角の枠で囲まれた「インライン表示用の画像データ」としては対構成３２が入っている。
【００６２】
図９を参照し、電子メールが電子メール機器１から受信側のＡ機種なる電子メール機器２又は受信側のＢ機種なる電子メール機器３又は受信側のＣ機種なる電子メール機器４に送信される場合ついて説明する。電子メール機器１では、「今日は」と「滑り台を表現した画像」とが表示器１５にインライン表示されている。その状態において、ユーザーがキー操作部１６を送信操作すると、図８のメールデータ構成３３が電子メール機器１から電子メールとして送信される。
【００６３】
この送信された電子メールを、受信側のＡ機種なる電子メール機器２又は受信側のＢ機種なる電子メール機器３が受信した場合、電子メール機器２；３がＨＴＭＬ対応の機器であるので、電子メール機器２の表示器３６又は電子メール機器３の表示器３７には、電子メール機器１の表示器１５に表示された態様と同じ態様で、「今日は」と「滑り台を表現した画像」とがインライン表示される。
【００６４】
上記送信された電子メールを、受信側のＣ機種なる電子メール機器４が受信した場合、電子メール機器４がＨＴＭＬ非対応の機器であるので、電子メール機器４の表示器３８には、電子メール機器１の表示器１５に表示された態様と異なる態様で、「今日は公園」と文字表示される。
【００６５】
以上のように実施の形態１によれば、ユーザーが、画像データを電子メール機器１に取り込む場合において、取り込まれた画像データを特定する付加データも作成して電子メール機器１に取り込むことによって、電子メール機器１が取り込まれた画像データとその画像データを特定する付加データとを互いに関連させてつまり画像データと付加データとを合成して画像データと付加データとの対構成３２を作成し、その作成された対構成３２を記録部としての画像データベース２７に記録する。
【００６６】
その状態において、ユーザーが電子メール機器１を操作して電子メールするべき文字データを電子メール機器１に入力すると、その入力された電子メールするべき文字データに基づいて画像データベース２７から画像データと付加データとを特定し、その特定された画像データと付加データとを対としたマルチメディアデータが送信されるとともに、付加データから別途設定されたマルチメディアデータの意味を示す例えば漢字のような文字情報も送信される。
【００６７】
これによって、受信側の電子メール機器２；３のように受信側の電子メール機器がＨＴＭＬ対応の機器であれば、全ての機種において、電子メール機器１の表示器１５に表示された態様と同じ態様で、受信側の電子メール機器２；３の表示器３６；３７に文字データと画像データとがインライン表示される。
【００６８】
また、受信側の電子メール機器４のように受信側の電子メール機器がＨＴＭＬ非対応の機器であれば、全ての機種において、電子メール機器１の表示器１５に表示された文字データと画像データを表現する文字データとが受信側の電子メール機器４の表示器３８に表示され、文字化けのような不都合が解消され、送信側のユーザーの意図する電子メールが受信側の電子メール機器２乃至４で正確に反映されて表示される。つまり、受信側の電子メール機器がＨＴＭＬ非対応の機器である場合、ＨＴＭＬ非対応の機器がテキスト本文を表示する特徴故に、当該テキスト本文に設定された「公園」をそのまま表示することができる。
【００６９】
「実施の形態２」
図１０を参照し、実施の形態２に係る画像データベース２９について説明する。図１０の画像データベース２９では、種類欄、名称欄、画像データと付加データとの対構成欄が設けられる。種類欄には、入力された付加データ中の「種類」が項目分けされて記録される。名称欄には、入力された付加データ中の「名称」が、種類欄の「漢字」や「カタカナ」ごとに項目分けされて記録される。対構成欄には、入力された画像データと入力された付加データとが対となって名称欄の「名称」ごとに項目分けされて記録される。
【００７０】
図１１及び図１２を参照し、電子メール機器１による電子メールの工程について説明する。図１１において、電子メール機器１には、すでに、図１０に示すような態様の画像データベース２９が記録されている。図１１及び図１２の電子メールの工程は、図１のメール作成部１８に相当するメール作成部で実行される。図１１のステップ６０１乃至６０３は、図５のステップ３０１乃至３０３と同じであって、ユーザーが電子メール機器１で新規メール作成操作から本文入力操作を行い、ステップ６０４に示すように、表示器１５に「今日は」とカーソル２８とを表示した態様の本文入力画面が表示される。
【００７１】
その状態を確認したユーザーがキー操作部１６を操作してマルチメディア入力又は文字入力を選択する。図１１では、ユーザーがマルチメディア入力を選択した後にキー操作部１６を画像候補表示操作した場合である。その画像候補表示操作に伴い、表示器１５から「今日は」と「カーソル」とが消え、ステップ６０５に示すように、表示器１５には図１０の画像データベース２９の対構成中の上から順に抽出された複数の画像データに対応する画像が画像候補表示画面として表示される。
【００７２】
この画像候補表示画面に表示された複数の画像の中にインライン表示しようとする画像が存在しないとユーザーが判断した場合は、ユーザーがキー操作部１６を画像送り操作をすることによって、画像データベース２９の対構成からステップ６０５で表示された画像の次の順番として抽出された複数の画像データに対応する画像を表示する。これによって、ステップ６０５では、画像データベース２９の対構成中における全ての画像データに対応する画像と当該画像データの種類を示す漢字又はカタカナがスライドショーのように表示される。ステップ６０５において、画像データベース２９の対構成中における全ての画像データに対応する画像と当該画像データの種類を示す漢字又はカタカナと当該画像データの名称を示す漢字又はカタカナをスライド表示するか、又は、画像データベース２９の対構成中における全ての画像データに対応する画像と当該画像データの名称を示す漢字又はカタカナをスライド表示するか、又は、画像データの種類や名称を表示することなく画像データベース２９の対構成中における全ての画像データに対応する画像だけをスライド表示してもよい。
【００７３】
そして、ステップ６０５で表示器１５に表示された複数の画像の中にインライン表示しようとする画像が存在したとユーザーが判断した場合は、ユーザーはその判断した時点で前記画像送り操作を中止すると、表示器１５にはインライン表示しようとする画像の存在する画像候補選択表示画面が停止表示される。
【００７４】
さらに、図１２において、ユーザーがキー操作部１６を画像候補選択操作して例えば、「滑り台を表現した画像」を選択した場合、ステップ６０６に示すように、表示器１５には「滑り台を表現した画像」を太枠で囲んだ態様が画像選択画面として表示される。
【００７５】
その後の電子メールの工程を示すステップ６０７乃至６１０は、図６のステップ４０４乃至４０７と同じである。つまり、ユーザーがインライン表示操作、送信決定操作、送信操作を順に行うことによって、ＨＴＭＬメールが送信される。このＨＴＭＬメールでは、ステップ６０９の表示器１５に表示された「今日は」と「滑り台を表現した画像」を表現する画像データと付加データとからなるインライン表示可能な形式でマルチメディアデータが送信されるとともに、付加データから別途設定されたマルチメディアデータの意味を示す例えば漢字のような文字情報も送信される。
【００７６】
例えば、図１０の画像データベース２９において、対構成欄の画像データなる静止画Ｅが図１２のステップ６０９の「滑り台を表現した画像」であるとすると、図１０の画像データベース２９の対構成欄から静止画Ｅと静止画Ｅの付加データとが特定され、その特定された静止画Ｅと静止画Ｅの付加データとが対構成となって送信されるとともに、付加データから別途設定されたマルチメディアデータの意味を示す例えば漢字のような文字情報も送信される。
【００７７】
図１１において、ステップ６０１乃至６０３に示すように、ユーザーが電子メール機器１で新規メール作成操作から宛先欄、差出人欄、件名欄のそれぞれに必要な情報を入力した後に本文入力操作を行うことなくマルチメディア入力を選択した後にキー操作部１６を画像候補表示操作してよい。この場合には、ステップ６０３の次にステップ６０４をスキップしてステップ６０５に進み、ステップ６０５において、画像データベース２９の対構成中における全ての画像データに対応する画像と当該画像データの種類を示す漢字又はカタカナがスライドショーのように表示される。その後、図１２のステップ６０６乃至６１０において、ユーザーが画像候補選択操作、インライン表示操作、送信決定操作、送信操作を順に行うことによって、ＨＴＭＬメールが送信される。このＨＴＭＬメールでは、ステップ６０９の表示器１５に表示された「滑り台を表現した画像」を表現する画像データと付加データとからなるインライン表示可能な形式でマルチメディアデータが送信されるとともに、付加データから別途設定されたマルチメディアデータの意味を示す例えば漢字のような文字情報も送信される。
【００７８】
図１１において、ステップ６０１乃至６０３に示すように、ユーザーが電子メール機器１で新規メール作成操作から宛先欄、差出人欄、件名欄のそれぞれに必要な情報を入力した後に本文入力操作を行うことなくマルチメディア入力を選択した後にキー操作部１６を画像候補表示操作し更に画像候補選択操作し更に選択した画像を決定操作した後に本文入力操作を行ってもよい。この場合には、ステップ６０３の次にステップ６０４をスキップしてステップ６０５；６０６と進み、ステップ６０６の後にユーザーがインライン表示操作を行ってステップ６０６で選択された画像候補を送信するべき画像として決定する。その画像の決定操作の結果、ステップ６０７では「今日は」が表示されず「滑り台を表現した画像」とカーソル２８とが表示された態様である。その後、ユーザーがキー操作部１６で本文入力操作を行う。この本文入力操作の場合、ユーザーがカーソル２８を「滑り台を表現した画像」の前に移動した後に本文入力操作をしてもよく又はカーソル２８を「滑り台を表現した画像」の後に位置させたまま本文入力操作をしてもよい。カーソル２８を「滑り台を表現した画像」の前に移動した後に本文入力操作した場合、例えば、表示器１５には、ステップ６０７の「滑り台を表現した画像」の前に「電子メールすべき本文としての文字」が表示され、「滑り台を表現した画像」の位置が電子メールすべき本文としての文字」に応じて後にずれて表示される。カーソル２８を「滑り台を表現した画像」の後に位置させたまま本文入力操作した場合、例えば、表示器１５には、ステップ６０７の「滑り台を表現した画像」の後に電子メールすべき本文としての文字」が表示される。その後、図１２のステップ６０８乃至６１０において、ユーザーが送信決定操作、送信操作を順に行うことによって、ＨＴＭＬメールが送信される。このＨＴＭＬメールでは、ステップ６０９の表示器１５に表示された「滑り台を表現した画像」を表現する画像データと付加データと「電子メールすべき本文としての文字」とからなるインライン表示可能な形式でマルチメディアデータが送信されるとともに、付加データから別途設定されたマルチメディアデータの意味を示す例えば漢字のような文字情報も送信される。
【００７９】
「実施の形態３」
図１３を参照し、受信側のＨＴＭＬ対応の電子メール機器５が図１の電子メール機器１から送信された電子メールを受信した場合の工程について説明する。受信側のＨＴＭＬ対応の電子メール機器５は、電子メール機器２又は電子メール機器３に相当する電子メール機器である。図１３の受信時の電子メールの工程は、電子メール機器５における図１のメール作成部１８に相当するメール作成部で実行される。
【００８０】
ステップ７０１では、電子メール機器５が電源投入で起動し、表示器６が待ち受け画面を表示した状態である。その状態において、電子メール機器５が例えば図１の電子メール機器１からＨＴＭＬメールを受信し、ユーザーが電子メール機器５のキー操作部７を受信操作すると、ステップ７０２に示すように、表示器６が上記待ち受け画面からメール受信画面に変わる。
【００８１】
そのメール受信画面を確認したユーザーがキー操作部７をメール確認操作すると、電子メール機器５のＣＰＵが受信したＨＴＭＬメールを表示器６に表示する。例えば、ステップ７０３に示すように、表示器６には「今日は」と「滑り台を表現した画像」とがインライン表示される。この場合、送信側は受信側でどのようにマルチメディアデータを再生するべきかを動作指示で設定しており、受信側は送信側の当該動作指示による設定に従って表示や再生を行うことによって付加データに設定された動作指示どおりの結果が得られる。また、受信側も受信したマルチメディアデータの付加データをステップ７０３で図４の画像データベース２７又は図１０の画像データベース２９に登録するのみならず、その内容を確認することもできる。
【００８２】
その後、ユーザーがキー操作部７をメール確認終了操作すると、電子メール機器５のＣＰＵがデータ保存有無の確認処理を実行してその実行結果を表示器６に表示する。例えば、ステップ７０４に示すように、表示器６には「データを保存しますか？」なる文字がデータ保存有無の確認処理の実行結果として表示される。
【００８３】
その表示器６に表示された実行結果を確認したユーザーがキー操作部７をデータ保存有操作又はデータ保存無操作する。例えば、ユーザーがキー操作部７をデータ保存有操作した場合は、ＹＥＳに相当し、ステップ７０５に進む。ステップ７０５では、電子メール機器５のＣＰＵがステップ７０３で受信した受信データの中から画像データと付加データとからなる対構成を図４の画像データベース２７又は図１０の画像データベース２９に記録し、データ保存の処理を終わる。その後、電子メール機器５のＣＰＵが待ち受け処理を実行し、ステップ７０１に示すように、表示器６が待ち受け画面を表示した状態になる。
【００８４】
上記とは逆に、ユーザーがキー操作部７をデータ保存無操作した場合は、ＮＯに相当し、ステップ７０６に進む。ステップ７０６では、電子メール機器５のＣＰＵがデータ保存の処理を行うことなく待ち受け処理を実行し、表示器６が待ち受け画面を表示した状態になる。この待ち受け画面が表示された状態は、ステップ７０１と同じ状態である。
【符号の説明】
【００８５】
１乃至５は電子メール機器、６は表示器、７はキー操作部、８乃至１０は欠番、１１は入出力インターフェース、１２は辞書情報入力部、１３は合成部、１４は画像入力部、１５は表示器、１６はキー操作部、１７はデータ入力部、１８はメール作成部、１９はＣＰＵ、２０はＲＡＭ、２１はＲＯＭ、２２は基本辞書、２３は個人辞書、２４はメール入力部、２５は特定部、２６は送信部、２７は画像データベース、２８はカーソル、２９は画像データベース、３０は欠番、３１は画像データ供給機器、３２は対構成、３３はメールデータ構成、３４；３５はデータ部分、３６乃至３８は表示器、３９；４０は欠番、４１乃至４４は電子メール機器。
【図１】
2011059903.tif 000003
【図２】
2011059903.tif 000004
【図３】
2011059903.tif 000005
【図４】
2011059903.tif 000006
【図５】
2011059903.tif 000007
【図６】
2011059903.tif 000008
【図７】
2011059903.tif 000009
【図８】
2011059903.tif 000010
【図９】
2011059903.tif 000011
【図１０】
2011059903.tif 000012
【図１１】
2011059903.tif 000013
【図１２】
2011059903.tif 000014
【図１３】
2011059903.tif 000015
【図１４】
2011059903.tif 000016